Podtech/llm-jp-corpus-v4-ja_patent huggingface dataset:
(57)【要約】【課題】  加熱殺菌による乳化状ソース類の乳化破壊を防止するために有機酸モノグリセリドを配合したにも拘らず、この有機酸モノグリセリドに由来する酸味を主とした風味が抑制された乳化状ソース類の提供。【解決手段】  有機酸モノグリセリド及びソーマチンを含有することを特徴とする乳化状ソース類。【選択図】  なし【特許請求の範囲】
【請求項１】
有機酸モノグリセリド及びソーマチンを含有することを特徴とする乳化状ソース類。
【請求項２】
乳化状ソース類中の有機酸モノグリセリドの含有量が０．０１〜０．５質量％であり、かつソーマチンの含有量が有機酸モノグリセリドの０．０５〜１質量％である請求項１記載の乳化状ソース類。
【発明の詳細な説明】
【技術分野】
【０００１】
本発明は、乳化安定性に優れ、しかも風味が良好な、特に、加熱殺菌を施しても、乳化状態を維持し、かつ、酸味や甘味の点で風味を損ねることがない乳化状ソース類に関する。
【背景技術】
【０００２】
一般に、ホワイトソースやカルボナーラソース等の乳化状ソース類は、乳化状態となっていることにより良好な口溶けと独特の滑らかな舌触りを有している。しかしながら、これらの乳化状態にあるソース類は、これを加熱殺菌すると、乳化状態が破壊されてしまうと云う問題があった。そこで、従来斯かる加熱殺菌時の乳化状態の破壊防止を目的として、例えば有機酸モノグリセリドを配合する方法が既に知られている（特許文献１参照）。
【０００３】
しかしながら、有機酸モノグリセリドを乳化状ソース類に配合した場合、有機酸モノグリセリドに由来する風味、特にその酸味のため、乳化状ソース類特有の風味が損なわれてしまうのが実状であった。
【特許文献１】特許第３３５４１０１号公報
【発明の開示】
【発明が解決しようとする課題】
【０００４】
そこで本発明は、上記の如き従来の問題と実状に鑑み、加熱殺菌による乳化状ソース類の乳化破壊を防止するために有機酸モノグリセリドを配合したにも拘らず、この有機酸モノグリセリドに由来する酸味を主とした風味が抑制された乳化状ソース類を提供することを課題とする。
【０００５】
本発明者は、当該課題を解決すべく種々研究を重ねた結果、有機酸モノグリセリドとソーマチンを併用すれば、加熱殺菌によっても乳化状ソース類の乳化状態が破壊されず、しかも当該有機酸モノグリセリドに由来する酸味を主とした風味を抑制することができると共に、ソーマチンによる甘味も呈することがないことを見出し、本発明を完成した。
【課題を解決するための手段】
【０００６】
すなわち、本発明は、有機酸モノグリセリド及びソーマチンを含有することを特徴とする乳化状ソース類により、上記課題を解決したものである。
【発明の効果】
【０００７】
本発明によれば、加熱殺菌によっても乳化安定性に優れ、しかも有機酸モノグリセリドに由来する酸味が抑えられた、風味良好な乳化状ソース類を提供することができる。加えて、本発明の乳化状ソース類は、ソーマチンを含有しているにも拘らず、加熱殺菌後に甘味を呈することもない。
【発明を実施するための最良の形態】
【０００８】
本発明において用いられる有機酸モノグリセリドを構成する有機酸の種類は特に限定されず、例えばコハク酸、クエン酸、酒石酸、ジアセチル酒石酸、リンゴ酸、アジピン酸、グルタル酸、マレイン酸、フマル酸等が挙げられ、特にコハク酸、ジアセチル酒石酸が好ましい。
【０００９】
また、有機酸モノグリセリドを構成する脂肪酸の種類も特に限定されず、例えばカプリル酸、カプリン酸、ラウリン酸、ミリスチン酸、パルミチン酸、ステアリン酸、オレイン酸等の飽和または不飽和の脂肪酸が挙げられる。
このような有機酸モノグリセリドの具体例としては、例えばコハク酸モノステアリン酸モノグリセリド、ジアセチル酒石酸モノステアリン酸モノグリセリド等が挙げられる。
【００１０】
本発明において用いられるソーマチンは、マランタセア科のタウマトコッカス  ダニエリの仮種皮から水で抽出、精製、乾燥することにより得られる甘味料である。市販品としては、「ソウマックス」（吉岡食材（株））、「サンスイートＴ」（三栄化学工業（株））、「ネオサンマルクＤ」（三栄源エフ・エフ・アイ（株））等が挙げられる。
【００１１】
本発明において、乳化状ソース類中の有機酸モノグリセリドの含有量としては、０．０１〜０．５質量％、特に０．１〜０．３質量％が好ましい。
また、ソーマチンの含有量としては、有機酸モノグリセリドの０．０５〜１質量％、特に０．２５〜１質量％が好ましい。
【００１２】
本発明の乳化状ソース類においては、有機酸モノグリセリドとソーマチンの他、必要に応じて、油脂、小麦粉、各種澱粉類、乳化剤、増粘剤、香料、酸味料、調味料、安定剤等を適宜添加配合することができる。
【００１３】
本発明の乳化状ソース類としては、例えばホワイトソース、カルボナーラソース、ポタージュソース等が挙げられる。
【実施例】
【００１４】
次に、本発明をさらに具体的に説明するために実施例を掲げるが、本発明は、以下の実施例のみに限定されるものではない。
【００１５】
実施例１〜４並びに比較例１〜５
表１に示す配合に従い、以下のようにホワイトソースを調製した。
全脂粉乳、カゼインナトリウム及び有機酸モノグリセリド（コハク酸モノグリセリド又はジアセチル酒石酸モノグリセリド）を、ミキサーを用いて温水に分散溶解させ、均一な水分散液Ａを得た。この水分散液Ａに油脂を混合し、常法により油脂を均一分散（乳化）させ、乳化液を得た。
別途、冷水に焙焼小麦粉と焙焼していない小麦粉をダマにならないように少しずつ分散させ、水分散液Ｂを得た。この水分散液Ｂを攪拌しながら加熱し、約８０℃まで昇温させた。これに上記乳化液と表１記載の原料をそれぞれ添加し、攪拌しながら達温９０℃まで加熱し、ホワイトソースを得た。
得られたホワイトソースを２９０ｇずつ７号缶に充填し、密封後１２２℃で約３０分間加熱殺菌した。
【００１６】
【表１】
2006081460.tif 000002
【００１７】
試験例１
実施例１〜４及び比較例１〜５で得られた加熱殺菌前のホワイトソースと加熱殺菌後室温まで冷却したホワイトソースを１０名のパネラーにより、表３に示す評価基準により評価した。その評価結果を示せば表２のとおりである。
【００１８】
【表２】
2006081460.tif 000003
【００１９】
【表３】
2006081460.tif 000004
(57)【要約】【課題】  この発明は、比較的簡単な操作と、短い時間でＧａｂａの収量の多い玄米を得ることを目的としたものである。【解決手段】  この発明は、適度に搗精した玄米又はその粉末を３５℃〜４５℃で４時間以上保温することを特徴とした新しい発芽玄米の製造方法により目的を達成した。【選択図】      図１
2006081472.tif 000002
【特許請求の範囲】
【請求項１】
適度に搗精した玄米又はその粉末を３５℃〜４５℃で４時間以上保温することを特徴とした新しい発芽玄米の製造方法。
【請求項２】
適度の搗精とは、搗精歩合３％〜５％としたことを特徴とする請求項１記載の新しい発芽玄米の製造方法。
【請求項３】
保温時間は５時間〜１６時間としたことを特徴とする請求項１記載の新しい発芽玄米の製造方法。
【請求項４】
請求項１記載の方法により製造したことを特徴とする発芽玄米。
【発明の詳細な説明】
【技術分野】
【０００１】
この発明は、玄米の発芽を利用して、玄米中にグルタミン酸を適度に保ちながら精製するγ−アミノ酪酸の含有量を増大させることを目的とした新しい発芽玄米の製造方法に関する。
【背景技術】
【０００２】
γ−アミノ酪酸（以下Ｇａｂａと略記する）は神経抑制作用や精神安定機能を有しており、血圧上昇抑制作用、脳の代謝促進作用、動脈硬化の予防、二日酔い防止、皮膚の老化防止などに効果のある機能性食品成分として注目されている。そのためＧａｂａを富化させる方法が種々検討されており、米糠や胚芽を浸漬し富化する方法（Ｊ．Ａｇｒｉｃ  Ｆｏｏｄ  Ｃｈｅｍ、４２、１１２２、１９９４年）、グルタミン酸を酵母やクロレラに作用させる方法（特開平９−２３８６５０）、お茶を嫌気的に醗酵させる方法（日本農芸化学会誌、６１、８１７、１９８７年）、大豆もやしを炭酸ガスで処理する方法（食科工、３６、９１６、１９８９年）、麹菌によるもの（特開平１０−１６５１９１）、乳酸菌を活用する方法（Ｂｉｏｓｃｉ  Ｂｉｏｔｅｃｈ  Ｂｉｏｃｈｅｍ、６１、１１６８、１９９７年）等が報告されている。また、玄米を高圧処理することによりＧａｂａが増加することも報告されている（食品科学工学会誌、４６、３２３、１９９９年）。
【０００３】
また、注目すべき発芽玄米の製造方法及び栄養強化玄米としては、以下のようなものがある。
【０００４】
（１）水に溶解したミネラル類やビタミン類を発芽過程において吸収させる栄養強化玄米の発明。
【０００５】
（２）オゾンを含む空気を間欠的に曝気して温水を殺菌しながら発芽する方法の発明。
【０００６】
（３）焼成カキ殻カルシウム製剤、ゼオライト及び活性炭を共存させた層で濾過しながら玄米を発芽させる方法の発明。
【特許文献１】特開２０００−５０８１８
【特許文献２】特開平１１−４６６１
【特許文献３】特開２０００−３２１１００
【発明の開示】
【発明が解決しようとする課題】
【０００７】
日常の食生活で高血圧などの生活習慣病が予防できれば消費者のメリットは大きい。その一つとして、発芽玄米から適量のＧａｂａを摂取する方法が考えられる。しかし、玄米を３０℃前後で保温した場合、Ｇａｂａの含量を高めるためには、浸漬した状態で，７０時間もの発芽時間を必要とした（秋田県総合食品研究所報告、１、８５〜８６頁、１９９９年）。そこで発芽に必要な設備を最小限に絞り、かつ玄米のＧａｂａの含量を高めるための技術開発が求められていた。
【課題を解決するための手段】
【０００８】
この発明は、適度に搗精した玄米を３５℃〜４５℃の温水に入れて４時間以上保温することにより、Ｇａｂａの高収量を得て、前記従来の問題点を解決したのである。
【０００９】
即ちこの発明は、適度に搗精した玄米又はその粉末を３５℃〜４５℃で４時間以上保温することを特徴とした新しい発芽玄米の製造方法であり、適度の搗精とは、搗精歩合３％〜５％としたこものであり、保温時間は５時間〜１６時間としたものである。
【００１０】
また他の発明は、適度に搗精した玄米又はその粉末を３５℃〜４５℃で４時間以上保温して得た発芽玄米である。
【００１１】
この発明において３７℃においては、保温時間４時間までは急激に増加し、爾後緩徐に増加し、２０時間以上増加を続ける（図２）。
【００１２】
また温度を５０℃にした場合には、４時間まではＧａｂａ量が増加するが、８時間以上保温してもほぼ同等のＧａｂａ量を示し、グルタミン酸量も一定である。
【００１３】
前記発明において、保温温度を３５℃〜４５℃にしたのは、図１に示すように、この時間帯が最も収量が多いからである。
【００１４】
この発明において、搗精歩合を３％〜５％としたのは、表１に示すように、Ｇａｂａの収量が多くなるからであり、表１には示されていないが、搗精歩合１％〜３％又は５％〜６％でも保温温度と時間の関係で相当の収量を示すので、搗精歩合は１％〜６％であるが、好ましくは３％〜５％とした。
【発明の効果】
【００１５】
従来Ｇａｂａについて相当の収量をあげるには７０時間もの保温を必要としたが、この発明によれば４時間〜２０時間、好ましくは５時間〜１６時間でＧａｂａの大きな収量を得ることができる効果がある。
【発明を実施するための最良の形態】
【００１６】
この発明は、搗精歩合３％の玄米を、３７℃で６時間〜１２時間保温した所、Ｇａｂａ３００ｎｍｏｌ／ｍｌ〜４８０ｎｍｏｌ／ｍｌを得た。
【実施例１】
【００１７】
この発明の実施例を説明すれば、搗精歩合３％、５％、１０％の玄米（あきたこまち（登録商標））０．５ｇに、０．１Ｍ酢酸緩衝液（ｐＨ６．０）１ｍｌを加え、３７℃に保温した。保温後、１ＮＨＣｌ０．５ｍｌを添加し、反応を停止した。
【００１８】
ついで超音波とブレンダーで１分間混合した後、この混合液を遠心分離（３０００ｒｐｍ、１０分間）し、上澄水を得た。この上澄水を０．４５μｍのミソポアフィルターで濾過し、濾過済み試料を自動アミノ酸分析機（日本電子、ＪＬＣ−５００Ｖ）によりＧａｂａおよびグルタミン酸を定量した所、表１の結果を得た。
【表１】
2006081472.tif 000003
【実施例２】
【００１９】
前記実施例１における搗精歩合を３％とし、グルタミン酸を添加し、保温時間を１２時間として、温度を変化させた所、図１の結果を得た。
【００２０】
即ち搗精歩合３％の場合には、３７℃程度の温度が最良であった。
【実施例３】
【００２１】
実施例１における搗精歩合を３％とし、グルタミン酸を添加し、温度を３７℃として、保温時間を変化させた所、４時間〜１２時間で、Ｇａｂａの増加が著しいことが判明した。
【図面の簡単な説明】
【００２２】
【図１】この発明の実施例における好ましい温度を示すグラフ。
【図２】同じく３７℃における保温時間とＧａｂａ等の収量を示すグラフ。
【図３】同じく５０℃における保温時間とＧａｂａ等との収量を示すグラフ。
【図１】
2006081472.tif 000004
【図２】
2006081472.tif 000005
【図３】
2006081472.tif 000006
(57)【要約】【課題】切花を蘇生するための用具を提供するのであり、花冠や茎に負担を掛ける事無く、葉体を冷水に浸けて気孔を閉じさせる。【解決手段】底の浅い器1に冷たい水6を注ぎ込み、もたげ部2によって形成した傾斜領域へ切花7を横たえ、花冠9を傾斜領域の上部に置く事で葉体8が水中に浸かり、水6の刺激によって気孔は閉じて蒸散は減少し、茎10の切り口から水6を吸い上げるので、切花7の細胞に水分が補充されて蘇生する。【選択図】  図２
2006081442.tif 000002
【特許請求の範囲】
【請求項１】
水を入れる器1に、一方の外方向へ高さを増して行くもたげ部2を設けた事を特徴とする切花蘇生具。
【請求項２】
もたげ部2をパッド3にし、パッド3に通水用の穴4を開けた事を特徴とする請求項１記載の切花蘇生具。
【請求項３】
もたげ部2を柵5にし、複数の柵5が一方の外方向へ高さを増して行く事を特徴とする請求項１記載の切花蘇生具。
【発明の詳細な説明】
【技術分野】
【０００１】
本発明は、しおれかけた切花を蘇生させるための用具に関する。
【背景技術】
【０００２】
従来、切花を蘇生させるための技術として、平たい器に入れた冷水に切花を浸けて、気孔を閉じさせる事で蒸散を防ぎ、蘇生を促すという技術があった。
【発明の開示】
【発明が解決しようとする課題】
【０００３】
解決しようとする問題点は、気孔を閉じる事で蒸散を防ぐのであることから、葉体の方を冷水に浸けるのが有効的で、花冠を浸けても効果が無い所か、花びらや花粉が水によって散らされるという問題点があり、花冠を水に浸けない方法として、器の外に花冠を出していたが、花冠の支えが無いことから、花びらが落下したり、器の縁だけで茎が支えられているので、茎に負担の掛かるものであった。
【課題を解決するための手段】
【０００４】
冷水を入れるための器にもたげ部を設け、もたげ部は一方の外方向へ徐々に高さを増して行く構造にし、もたげ部に切花を横たえる事で茎に折れ曲がりの負担を掛ける事無く、花冠の部分を水面上に出し、葉っぱを冷水に浸ける事ができ、もたげ部が花冠の支えにもなる。
【発明の効果】
【０００５】
もたげ部が適度な傾斜を保って花冠を持ち上げているので、茎への負担は無く、もたげ部が花冠を支えているので、花びらの落下を防止でき、もたげ部の下方に葉体があるので、葉体を冷水に浸ける事ができ、冷水に浸かった刺激によって葉体の気孔は閉じ、蒸散は防止された状態で、茎の切り口から水が吸い上げられるので細胞に水分が補充され、よって切花は蘇生する。
【発明を実施するための最良の形態】
【０００６】
最良の形態を、図面を参照しながら以下の実施例で説明する。
【実施例１】
【０００７】
図１は、もたげ部をパッドにした物の正面斜視図であり、冷水を入れるための器1は定型ではないが、底の浅い矩形の物、一般的にはヴァット（ｖａｔ）と言われている物が望ましく、周囲の大きさは500ｍｍ×330ｍｍで、高さは80ｍｍ程度が望ましいが、切花の大きさによって変更しても良く、材質は限定ではないが硬質のプラスチックが望ましく、短い方の壁を側壁とし、もたげ部2を形成するパッド（ｐａｄ）3は、器1の底板11と略同寸である事が望ましいが、長手（側）方向へ適宜に長くても良く、材質は限定ではないがプラスチックである事が望ましく、そのプラスチックは、もたげ部2の傾斜を形成できるのであれば硬質であっても軟質であっても良く、パッド3の一つの縁を器1の一つの壁上に乗せる事で、もたげ部2の役目を果たす傾斜を形成し、乗せられる壁は器1の前後方向の一方であっても良いが、側壁の一方である事が望ましく、前記傾斜を形成するためのパッド3の固定方法は、パッド3の下面に突起を設けて引っ掛かるようにしても良く、器1の壁内面へ摩擦によって固定できる構造であっても良く、又、両者の併用によって固定しても良く、パッド3に通水用の穴4を複数開け、穴4の大きさや形及びその数は、水が自由に出入りできる状態であるならば自由であって良い。
【実施例２】
【０００８】
図２は、実施例１の使用状態を示した正面斜視図であり、器1に水6を注ぎ込み、注ぎ込まれた水6は穴4によって直ぐに通水するので、パッド3の裏も水6で満たされて水平となり、もたげ部2上に切花7を横たえる事で、葉体8は水中に浸かり、花冠9は水面上に出ており、切花7の茎10はもたげ部2の傾斜によって支えられているので、折れ曲がりの圧力は掛かっておらず、花冠9に於いてももたげ部2が下から支えているので、花びらの落下を防止しており、花冠9が水6に浸かっていない事から、水6による影響、例えば花粉が流れ出たり花びらが軟弱化して散るなどの問題は起こらず、葉体8の気孔を閉じさせるには水6が冷たい方が効果的なので、氷を入れて更に温度を下げる事が望ましく、葉体8は茎10から生え出ている立体形状である事から水面上へ部分的に出る事があり、水面上に出ている葉体8を水中に戻す方法として、重しとなるシートを被せる事が望ましく、その重しシートは葉体8を外から確認できる透明プラスチックが望ましい。
【実施例３】
【０００９】
図３は、もたげ部を柵にした物の部分剥離正面斜視図であり、器1の前壁の一部を剥離する事で柵5の形状を表示し、器1の底板11に複数の柵5を連接し、柵5の連接方法は溶着であっても良いが、一体成型である事が望ましく、柵5の前後縁は前後各々の壁に連接していても分離していても良く、柵5の各々は前後方向に水平で、1枚の板で図示しているが、複数に分離していても良く、分離させた場合は、その分離による隙間が通水路の役割を果たし、底板11の内側から外側へ向けて柵5は連続的に高くなる事で、もたげ部2の傾斜を形成する。
【実施例４】
【００１０】
図４は、実施例３の正面領域を切り取った断面図であり、底板11から垂直に複数突出している柵5は、底板11の中央方向から一方の側面（図では右側）へ連続的に高さを増して、柵5の頂部を結べば、もたげ部2の傾斜を形成し、もたげ部2を形成する柵5の高さは限定ではないが、望ましい高さを具体的にミリメートル（ｍｍ）で述べるならば、短い順に27ｍｍから3ｍｍ単位で順次高くなっていき、最終の十三番目では63ｍｍとなり、器1の側壁の高さは80ｍｍとなる。
【図面の簡単な説明】
【００１１】
【図１】もたげ部をパッドにした物の正面斜視図（実施例１）
【図２】実施例１の使用状態を示した正面斜視図（実施例２）
【図３】もたげ部を柵にした物の部分剥離正面斜視図（実施例３）
【図４】実施例3の正面領域を切り取った断面図（実施例４）
【符号の説明】
【００１２】
１  器
２  もたげ部
３  パッド
４  穴
５  柵
【図１】
2006081442.tif 000003
【図２】
2006081442.tif 000004
【図３】
2006081442.tif 000005
【図４】
2006081442.tif 000006
(57)【要約】【課題】本発明は、三枚に卸した魚のフィーレを生姜を用いてマスキング処理し、くさみを除去して美味とすることを目的とする。【解決手段】本発明による魚の加工方法は、三枚におろした魚(1)のフィーレ(4)をマスキング処理において、沸騰した湯に生姜を入れて得た原液(30)に前記フィーレ(4)を漬け込み、この漬け込みによって前記フィーレ(4)のくさみを除去する方法である。【選択図】図２
2006081443.tif 000002
【特許請求の範囲】
【請求項１】
魚(1)からなる原料を三枚におろし、おろした前記魚(1)の皮をむいて得られたフィーレ(4)をマスキング処理し、前記マスキング処理した前記フィーレ(4)を真空包装する魚の加工方法において、
前記マスキング処理においては、沸騰した湯に生姜を入れて所定時間経過後、前記生姜入りの前記湯を濾過することによって得た原液(30)を冷却し、前記フィーレ(4)を前記原液(30)中に漬け込み、その後、前記フィーレ(4)の水切り処理を行うことを特徴とする魚の加工方法。
【請求項２】
前記湯１０ｌに対して前記生姜１Ｋｇを入れることを特徴とする請求項１記載の魚の加工方法。
【請求項３】
前記所定時間は、５分間であることを特徴とする請求項１又は２記載の魚の加工方法。
【請求項４】
前記魚(1)は、淡水魚のキャットフィッシュであることを特徴とする請求項１ないし３の何れかに記載の魚の加工方法。
【発明の詳細な説明】
【技術分野】
【０００１】
本発明は、魚の加工方法に関し、特に、くさみのある魚を生姜を用いたマスキング処理を行うことにより、くさみを除去し美味とするための新規な改良に関する。
【背景技術】
【０００２】
従来、用いられていたこの種の魚の加工方法としては、特許文献等は開示していないが、例えば、くさみのある青魚（サバ、イワシ、アジ等）の場合、細かくきざんだ生姜を煮付けの鍋に入れて一緒に煮るか、煮付けた後の魚の上に、細かく糸状にきざんだ状態の生の生姜をふりかけて一緒に食する等の方法が用いられていた。
【発明の開示】
【発明が解決しようとする課題】
【０００３】
従来の魚の加工方法は、以上のように構成されていたため、次のような課題が存在していた。
すなわち、魚を煮付ける時に生姜を少々入れるか、又は、細かく切りきざんで入れるだけであるため、魚肉の内部に浸透してくさみを取る作用はなく、単に、味付けの状態であり、魚肉自体のくさみを完全に除去できる方法ではなかった。
【課題を解決するための手段】
【０００４】
本発明による魚の加工方法は、魚からなる原料を三枚におろし、おろした前記魚の皮をむいて得られたフィーレをマスキング処理し、前記マスキング処理した前記フィーレを真空包装する魚の加工方法において、前記マスキング処理においては、沸騰した湯に生姜を入れて所定時間経過後、前記生姜入りの前記湯を濾過することによって得た原液を冷却し、前記フィーレを前記原液中に漬け込み、その後、前記フィーレの水切り処理を行う方法であり、また、前記湯１０ｌに対して前記生姜１Ｋｇを入れる方法であり、また、前記所定時間は、５分間とした方法であり、また、前記魚は、淡水魚のキャットフィッシュを用いる方法である。
【発明の効果】
【０００５】
本発明による魚の加工方法は、以上のように構成されているため、次のような効果を得ることができる。
すなわち、魚をフィーレ状とした後に、沸騰した湯中に生姜を入れて得た原液を用いてフィーレをマスキング処理しているため、魚肉のくさみは完全に除去され、魚肉が本来有する味や旨みをそのままの形で料理に利用することができる。
また、このマスキング処理後のフィーレを真空包装することにより、くさみのない魚肉を大量流通させることができ、特に、東南アジアで多くとれるナマズ状のキャットフィッシュの加工に最適である。
【発明を実施するための最良の形態】
【０００６】
本発明は、くさみのある魚を生姜を用いたマスキング処理を行うことにより、くさみを除去し美味とするようにした魚の加工方法を提供することを目的とする。
【実施例】
【０００７】
以下、図面と共に本発明による魚の加工方法の好適な実施の形態について説明する。
図１において符号１で示されるものは原料の魚であり、この魚１は、美味ではあるがくさみが強い魚で、例えば、淡水魚でありなまず状のキャットフィッシュ（特に、東南アジアで多く取られる）や、海水魚等である。
【０００８】
前記魚１は、第１ステップ２で三枚におろされ、第２ステップ３で皮をむきとり魚肉のみからなるフィーレ４となる。
前記フィーレ４は、第３ステップ５で計量されてサイズ別けされ、サイズ別けされたフィーレ４は、第４ステップ６のマスキング処理でくさみが除去される。
【０００９】
前記マスキング処理後のフィーレ４は、第５ステップ７で冷凍され、第６ステップ８で真空包装され、第７ステップ９で箱詰めされ、第８ステップ１０で保管又は出荷となる。
【００１０】
前記マスキング処理（第４ステップ６）は、図２に示されるように行われる。
すなわち、第１０ステップ２０で、沸騰した１０ｌの湯の中に１Ｋｇの割合いで生姜を入れ、所定時間（５分間）待つ、第１１ステップ２１で前記５分間置いた湯を濾過して原液３０を得る。
【００１１】
第１２ステップ２２で前記原液３０を１０℃以下に冷却し、第１３ステップ２３でこの冷却された原液３０中に前記フィーレ４を漬け込み、第１５ステップ２４で前記フィーレ４の水切り処理を行う。
【００１２】
前述の沸騰した湯の中に生姜を入れて得られる原液３０には、生姜の成分が十分に抽出されており、湯に対して飽和状態となる位に生姜の成分が溶け込んだ状態であり、この状態の原液３０を用いるため、フィーレ４には短時間（約１時間）で原液３０が浸透し、フィーレ４の持つくさみが速やかに除去される。尚、湯量と生姜の量は１例であり、魚のくさみや種類等に応じて変える必要がある。
【産業上の利用可能性】
【００１３】
本発明は、魚に限らず、他の食品に適用することも可能で、例えば、エビ等のカビ、ドロ臭も防ぐことができる。
【図面の簡単な説明】
【００１４】
【図１】本発明による魚の加工方法を示すブロック図である。
【図２】図１のマスキング処理を示す具体的ブロック図である。
【符号の説明】
【００１５】
１    魚
４    フィーレ
３０    原液
【図１】
2006081443.tif 000003
【図２】
2006081443.tif 000004
(57)【要約】【課題】本発明は、絶対角度が分からない状態下でＡＣサーボモータが回転している場合に、電気的零点をサーチして停止させ、この停止位置を原点として回転させ、絶対角度センサを用いないでＡＣサーボモータを効率良く駆動することを目的とする。【解決手段】本発明によるモータ駆動方法は、ＡＣサーボモータの回転中に、Ｕ相に−の電流、Ｖ相及びＷ相に＋の電流を印加して電気的零点にＡＣサーボモータを停止させ、停止した位置をＡＣサーボモータのモータ駆動信号の原点として内部保持させ、原点を零としてＡＣサーボモータに速度指令を与えて駆動する方法である。【選択図】図１
2006081253.tif 000002
【特許請求の範囲】
【請求項１】
角度センサを有しＵ、Ｖ、Ｗ相駆動のＡＣサーボモータの回転中に、前記Ｕ相に−の電流、前記Ｖ相及びＷ相に＋の電流を印加して電気的零点に前記ＡＣサーボモータを停止させ、前記停止した位置を前記ＡＣサーボモータのモータ駆動信号の原点としてメモリに内部保持させ、前記原点を零として前記ＡＣサーボモータに速度指令を与えて駆動することを特徴とするモータ駆動方法。
【請求項２】
前記角度センサの微分値を用いて前記速度指令を与えることを特徴とする請求項１記載のモータ駆動方法。
【発明の詳細な説明】
【技術分野】
【０００１】
本発明は、モータ駆動方法に関し、特に、絶対角度が分からない状態下でＡＣサーボモータが回転している場合に、ＡＣサーボモータの電気的零点をサーチして停止させた後、停止位置を原点としてＡＣサーボモータを効率良く駆動するための新規な改良に関する。
【背景技術】
【０００２】
従来、ＡＣサーボモータを駆動させる場合、エンコーダ等の角度センサとＡＣサーボモータの電気角の零点を合致させるために、後述の特許文献に開示されているように絶対角度センサを用いたモータエンコーダ又はモータレゾルバ等が採用されている。
【０００３】
【特許文献１】特開昭６２−２７８４０８号公報
【特許文献２】米国特許第５９１２５４１号明細書
【発明の開示】
【発明が解決しようとする課題】
【０００４】
従来のモータ駆動方法は、以上のように構成されていたため、次のような課題が存在していた。
すなわち、ＡＣサーボモータに設けた角度センサを絶対角度情報が得られる構成としなければならないため、角度センサは大型化し、かつ高コストとなっていた。
そのため、小型化が要求されるような機器においては、できれば絶対角度センサを使用せずに、安価で簡易な角度センサによって小型化されたＡＣサーボモータを得ることが要求されていた。
【課題を解決するための手段】
【０００５】
本発明によるモータ駆動方法は、角度センサを有しＵ、Ｖ、Ｗ相駆動のＡＣサーボモータの回転中に、前記Ｕ相に−の電流、前記Ｖ相及びＷ相に＋の電流を印加して電気的零点に前記ＡＣサーボモータを停止させ、前記停止した位置を前記ＡＣサーボモータのモータ駆動信号の原点としてメモリに内部保持させ、前記原点を零として前記ＡＣサーボモータに速度指令を与えて駆動する方法であり、また、前記角度センサの微分値を用いて前記速度指令を与える方法である。
【発明の効果】
【０００６】
本発明によるモータ駆動方法は、以上のように構成されているため、次のような効果を得ることができる。
すなわち、角度センサの零点とＡＣサーボモータの零点を自動的に合致させることにより、零点合わせを不要としていることにより、従来のように、モータ専用に設けられた高価で大型の角度センサに依存することなくＡＣサーボモータを駆動することができる。
【発明を実施するための最良の形態】
【０００７】
本発明は、絶対角度が分からない状態下でＡＣサーボモータが回転している場合に、ＡＣサーボモータの電気的零点をサーチして停止させた後、この停止位置を原点としてＡＣサーボモータを効率良く駆動することを目的とする。
【実施例】
【０００８】
以下、図面と共に本発明によるモータ駆動方法の好適な実施の形態について説明する。
図１は、本発明によるモータ駆動方法の好適な実施の形態を概略的に示すフロー図であり、角度センサを有し、Ｕ、Ｖ、Ｗの３相駆動のＡＣサーボモータ（図示せず）の回転中に、Ｕ相に−の電流、Ｖ相及びＷ相に＋の電流を印加してＡＣサーボモータの電気的零点をサーチする（第１ステップ１０）。
【０００９】
次に、ＡＣサーボモータの停止を確認（第２ステップ２０）し、この停止した位置（現在角度）をオフセット値として取り込み、その後モータ駆動式に角度演算値を代入（第３ステップ３０）する。
すなわち、ＡＣサーボモータが停止した位置をＡＣサーボモータのモータ駆動信号の原点としてメモリ（図示しない）内部保持させる。
【００１０】
前記原点を零として前記ＡＣサーボモータに速度指令を与えて駆動する（第４ステップ４０）。
尚、前記速度指令を与える場合は、前記角度センサの微分値を用いて演算する。
【産業上の利用可能性】
【００１１】
本発明は、小型モータに限らず、大型モータにも適用可能である。
【図面の簡単な説明】
【００１２】
【図１】本発明によるモータ駆動方法を示すブロック図である。
【符号の説明】
【００１３】
１０    第１ステップ
２０    第２ステップ
３０    第３ステップ
４０    第４ステップ
【図１】
2006081253.tif 000003
(57)【要約】【目的】  上下逆に持ってもそのまま操作できるリモコン装置。【構成】  順方向と、逆方向用に２つのＬＥＤを配し、押しボタンスイッチの押下で、順方向用制御信号と、逆方向用制御信号を、それぞれのＬＥＤに出力するリモコン装置。【選択図】      図１
2006081136.tif 000002
【特許請求の範囲】
【請求項１】
１つの押しボタンスイッチの押下で、順方向（６）用と、逆方向（７）用の２つの制御信号を発生させ、順方向用制御信号は、順方向ＬＥＤ（２）に出力し、逆方向用制御信号は、逆方向ＬＥＤ（３）に出力することを特徴とするリモコン装置
【請求項２】
各押しボタンスイッチの機能名を、凹部（８）の順方向機能名表示面（９）には、順方向（６）用制御信号のものを書き、逆方向機能名表示面（１０）には、逆方向（７）用制御信号のものを書いた、請求項１記載のリモコン装置
【発明の詳細な説明】
【発明の詳細な説明】
【産業上の利用分野】
【０００１】  この発明は、電子機器を遠隔制御するリモコン装置に関するものである。
【背景技術】
【０００２】  従来のリモコン装置は、前後逆に持った場合、持ち替えなければ操作できなかった。
【発明が解決しようとする課題】
【０００３】  本発明は、リモコン装置を前後逆に持っても、そのまま操作できるようにしたものである。
【課題を解決するための手段】
【０００４】  リモコン本体（１）を、順方向（６）を前にして持ち、順方向斜め後ろからの視線（４）で見ると、図２のように、逆方向機能名表示面（１０）は隠れ、順方向機能名表示面（９）が見える。
リモコン本体（１）を、逆方向（７）を前にして持ち、逆方向斜め後ろからの視線（５）で見ると、今度は、順方向機能名表示面（９）が隠れ、逆方向機能名表示面（１０）が見え、逆方向（７）を上にして図２のように見える。
押しボタンスイッチ（１１〜３０）を押下すると、それぞれの押しボタンスイッチは、図３の押しボタンスイッチと、ＬＥＤに出力する信号の対応表に示す信号を、順方向ＬＥＤ（２）と逆方向ＬＥＤ（３）に出力する。
このようにすると、リモコン本体（１）を上下逆に持ったとしても、最上列右から４番目の押しボタンスイッチの位置といった相対的な位置の押しボタンスイッチの押下で、前方には、同じ機能の制御信号が照射されるようになる。
【作用】
【０００５】  リモコン本体（１）を持ち、押しボタンスイッチ（１１〜３０）の機能を調べたかったら、斜め後ろから見れば、それぞれの押しボタンスイッチの機能がわかる。
リモコン本体（１）を逆に持ったとしても、そのまま調べた機能の押しボタンスイッチを押下すればよい。
【実施例】
【０００６】  テレビのリモコンなど、広範囲の電子機器の遠隔操作に応用する。
機能名の表示は、順方向斜め後ろからの視線（４）と、逆方向斜め後ろからの視線（５）の２方向で、異なる内容を表示するものであるから、レンチキュラーレンズを使っても同様の機能を実現できる。
【発明の効果】
【０００７】  電話を受けたときなど、テレビの音声を小さくするなどの操作を、すぐに行いたい場合、リモコンを上下逆に持ったときの持ち替えのわずらわしさを解消する。
【図面の簡単な説明】
【図１】  本発明の側面図、正面図。
【図２】  本発明の正方向斜め後ろから見た図。
【図３】  押しボタンスイッチと、ＬＥＤに出力する信号の対応表。
【符号の説明】
１はリモコン本体，  ２は順方向ＬＥＤ，  ３は逆方向ＬＥＤ
４は順方向斜め後ろからの視線，  ５は逆方向斜め後ろからの視線
６は順方向，  ７は逆方向，    ８は凹部
９は順方向機能名表示面，    １０は逆方向機能名表示面
１１〜３０は押しボタンスイッチ
【図１】
2006081136.tif 000003
【図２】
2006081136.tif 000004
【図３】
2006081136.tif 000005
(57)【要約】【課題】    携帯電話に音声翻訳機能を持たせる事を目的としているサイトあるいはプログラム。その際、「海外のエリア的な条件や通信電波の状態に関わらず使用出来ること。」「特定のソフトをあらかじめインストールしていない汎用的な携帯電話端末においても使用出来ること。」また「翻訳文字に対応した音声を読み上げ、通訳が間にいるような双方向のコミュニケーションを取れるようにすること。」を課題とする。【解決手段】    事前にダウンロードが可能な状態において翻訳サイトに接続し、プログラムを携帯電話のメモリ上の領域にダウンロードあるいは組み込むことにより電波の届かない地域でも使用出来る。また、音声翻訳プログラムのダウンロードが可能になったことにより、既に販売時に組み込まれていない汎用的な携帯電話においても使用可能になる。従来の対応した翻訳を文字として表示させるだけでなく音声翻訳プログラムを使用することにより、通訳がいる様な双方向のコミュニケーションが取れるようになる。【選択図】    図１
2006081135.tif 000002
【特許請求の範囲】
【請求項１】
携帯電話端末をネットワークの接続・通信エリア、携帯端末に依存されない音声翻訳機として利用出来るサイトとプログラム。サイト・プログラムをダウンロードあるいは事前に端末に組み込むことにより携帯電話を翻訳機として機能させ、あたかも翻訳者がいるようなコミュニケーションを円滑にすすめる為の機能を有するサイト・プログラム。
【請求項２】
前記プログラムは、携帯電話端末における画面で確認できる文字翻訳プログラムのみではなく、音声による発音翻訳プログラムを有することを特徴とするサイト・プログラム。
【請求項３】
通信環境の非対応エリアにおいても、プログラムを対応エリア内で事前に携帯電話端末のメモリ上に蓄積することにより訳機能を発揮することを特徴とするサイト・プログラム。
【請求項４】
ダウンロードプログラムを各自の携帯端末のメモリ上に蓄積する為、後から翻訳機能を汎用的な携帯電話端末に持たせることが容易であることを特徴とするサイト・プログラム。
【発明の詳細な説明】
【技術分野】
【０００１】本発明は、携帯電話に翻訳画面に該当する音声発生翻訳機能サイトやそれら音声翻訳機能をネットワークの常時接続に依存せずに携帯電話で使用できるようにするプログラム関する。
【背景技術】
【０００２】従来、携帯電話による翻訳サイトは文例の日本語の文例に対する外国語の文字表示、あるいは外国語表示に対する日本語も文字表示のみを行っていた。【０００３】また、翻訳サイトの場合、携帯電話の接続エリア内でしか、実質の機能上対応出来なかった。【０００４】また、翻訳サイトを利用しない場合、現実的に携帯端末にあらかじめ翻訳機能を組み込んだ携帯電話でしか翻訳機能を使うことが出来なかった。【０００５】なお、本願発明に関連する公知技術として〔特開２００３−２９６３２４〕の多言語ウェブサイトおよびその使用方法を挙げる事が出来る。
【発明の開示】
【発明が解決しようとする課題】
【０００６】上記の〔特開２００３−２９６３２４〕は携帯電話の接続エリア内でしか実際の機能上効力を発生せず、また、機能的に制限をされていて海外の携帯電話接続エリア外では十分な効果を得られないでいた。【０００７】また文例や用語を選択して、文字で該当する翻訳の表示を行う為、言葉による音声を発生しないので十分な海外でのコミュニケーション効果を得られないでいた。【０００８】使い慣れた携帯電話に、音声翻訳プログラムがもともとインストールされていない実質使用することが難しかった。
【課題を解決する為の手段】
【０００９】この為、本発明のプログラムサイトは、該当する日本語の文例に対応する外国語の文例の文字表示に該当する音声発音、外国語の文例に対応する日本語の文例の文字表示にそって音声発音するものである。その際は音声データを文字データに関連付けさせることにより音声の発生を可能にする。
【００１０】また別のプログラムにより、空白部分に日本語あるいは外国語を入れ込むと外国語あるいは日本語を表示された文字にそって発音するものである。その際は、単語の短いフレーズごとに音声を収録してそれをつなぎ合わせて発生するプログラム、母音と子音を登録してそれをつなぎ合わせて発生するプログラム、文を音声登録してそのなかから発生するプログラムがある。
【００１１】携帯電話の接続エリアに関する制限を一新する為、音声翻訳プログラムを携帯電話のメモリ上にダウンロードすることにより接続エリア外でも使用出来る様にした。この発明により、使用している携帯端末が渡航先のエリアに対応していなくとも対応エリア内でプログラムをダウンロードして行けば、携帯端末の電源さえ入っていれば使えるようになった。
【００１２】翻訳サイトから自分自身が使用している携帯端末のメモリ上にソフトをダウンロードすることが出来る為、もともと携帯電話にインストールされていない場合でも、使い慣れた携帯電話にも音声翻訳プログラムを手軽にインストールすることが出来るようになった。
【発明の効果】
【００１３】以上説明したように、本発明によれば、海外へ渡航前の自分自身の携帯端末が通信エリア内であったときに、音声翻訳プログラムを携帯の端末のメモリ上にダウンロードしておけば、渡航先で通訳がいるかのように音声による翻訳が行われる。相手にも同じ物を渡しておけば双方向の音声コミュニケーションも取れるようになる。
【発明を実施するための最良の形態】
【００１４】以下、本発明の実施の形態を図面に基づき詳細に説明する。【００１５】図１から図３は本発明のサイト上プログラム上の実施の携帯であり、図１は携帯電話の接続外での十分な効果を得られないでいた従来の方法からの変換、図２は従来のサイトの画面の中での文字表示によるだけの方法から音声を伴ったコミュニケーションの変換、図３は従来の既に翻訳機能が備わっている機種のみ使用できる方法から汎用的な携帯電話でも音声翻訳機能が使用する為の変換の図である。【００１６】図１は、自分自身の携帯端末が通信可能状態において従来の方法でも本発明の場合でも画面の文字表示だけによる翻訳機能には本発明の方が音声が伴うということである。【００１７】ただし、自分自身の携帯端末が通信不可能状態になった時、ダウンロード型の本発明のみ翻訳機能が使用出来、全ての携帯端末が海外で使用出来ないエリアが多く存在する現在、画期的な機能・ビジネスモデルであるといえる。【００１８】図２は、従来のサイトの画像による翻訳機能に比べて音声のよる翻訳機能を付加したことにより、翻訳者が介在するようなコミュニケーションが可能になる。【００１９】図３は、もともと音声翻訳プログラムが入っている携帯端末以外でも簡単に音声翻訳プログラムを使用出来るようになる仕組みである。
【産業上の利用可能性】
【００２０】本発明は、携帯コンテンツ製作分野、海外旅行産業分野、航空産業分野、教育産業分野で利用することが出来る。
【図面の簡単な説明】
【００２１】
【図１】通信状態から見た音声翻訳機能のダウンロードの優位性
【図２】コミュニケーションから見た音声翻訳機能の優位性
【図３】汎用の携帯電話端末で使用出来るようにした優位性
【図１】
2006081135.tif 000003
【図２】
2006081135.tif 000004
【図３】
2006081135.tif 000005
(57)【要約】【課題】マイナスイオンと磁気の持つ２種類の効能を効果的に引き出すことができる貼り付け治療シートを提供する。【解決手段】  シート状のベース２に、マイナスイオン発生微粉末材からなるマイナスイオン発生ドット４を、複数行にわたり直線方向に一定間隔おきに塗着する。マイナスイオン発生ドット４の間隔のあいた所には各行にマイナスイオンと磁気が交互に生成されるようにドット状に微粉末永久磁石材からなる磁気発生ドット６を塗着し、シート状ベース２にマイナスイオン発生ドット４と磁気発生ドット６とからなるドットマトリックスを形成する。シート状ベース２にはこれを人体に貼り付けるための接着面を形成し、これに保護フイルム１２を脱着自在に接着する。【選択図】図１
2006081807.tif 000002
【特許請求の範囲】
【請求項１】
シート状のベース２と、マイナスイオン発生微粉末材からなりベース２上に複数行にわたり直線方向に一定間隔おきにドット状に塗着されたマイナスイオン発生ドット４と、微粉末永久磁石材からなり前記各行のマイナスイオン発生ドット４の間隔のあいた所に前記各行にマイナスイオンと磁気が交互に生成されるようにドット状に塗着された磁気発生ドット６と、前記シート状ベース２を人体に貼り付けるための接着面と、該接着面に脱着自在に接着された保護フイルム１２とからなることを特徴とする貼り付け治療シート。
【請求項２】
前記マイナスイオン発生ドット４と磁気発生ドット６とを印刷手段により前記シート状ベース２上に塗着したことを特徴とする請求項１に記載の貼り付け治療シート。
【発明の詳細な説明】
【技術分野】
【０００１】
本発明は、身体の肩こり、足の冷え症、打撲、捻挫などによる具合の悪い患部に貼り付け、又、靴底、サポーター、包帯等の上からも貼り付け健康を回復するための貼り付け治療シートに関する。
【背景技術】
【０００２】
マイナスイオンは、人体に作用して組織全体を弱アルカリ性に保ち、体内の新陳代謝を活発にして自律神経の働きを正常にすると言われ、これにより、疲労感がとれ、健康を回復させるという点で、近時、注目を浴びている。また、従来、人体の皮膚に貼付することにより不具合状態の治療を行う貼付用治療具として、粘着シートの中央部に永久磁石粒を粘着固定した貼付用磁気治療具が知られている。また、永久磁石で構成した基材の表面にマイナスイオン生成物質の粉状体もしくは粒状体を粘着させた人体貼付用治療具が知られている（例えば特許文献１参照）。
【特許文献１】特開２００１−２１８７９０号公報
【発明の開示】
【発明が解決しようとする課題】
【０００３】
マイナスイオンや磁気は、人体の血流に作用することによってその治療効果が得られる。この血流は、一定の方向に流れているが。この流れに沿って、マイナスイオンと磁気を交互に作用させれば、これらのエネルギーが血管内の血液と間接的に触れる時間が長くなりこれらのエネルギーによる治療効果が増大する。
本発明は、マイナスイオンと磁気の２種類のエネルギーが交互に発生する方向を一方向に設定することで、血流に効果的に作用するように貼り付けることができる治療シートを提供することを目的とするものである。
【課題を解決するための手段】
【０００４】
上記目的を達成するため本発明は、シート状のベース２と、マイナスイオン発生微粉末材からなりベース２上に複数行にわたり直線方向に一定間隔おきにドット状に塗着されたマイナスイオン発生ドット４と、微粉末永久磁石材からなり前記各行のマイナスイオン発生ドット４の間隔のあいた所に前記各行にマイナスイオンと磁気が交互に生成されるようにドット状に塗着された磁気発生ドット６と、前記シート状ベース２を人体に貼り付けるための接着面と、該接着面に脱着自在に接着された保護フイルム１２とからなるものである。
また本発明は、前記マイナスイオン発生ドット４と磁気発生ドット６とを印刷手段により前記シート状ベース２上に塗着したものである。
【発明の効果】
【０００５】
本発明は、マイナスイオン発生物質と磁気発生物質が交互にドット状に直線方向に生成されるので、この直線方向と血流の方向とを一致させるようにシートを患部に貼り付けることで血流に沿ってマイナスイオンと磁気を作用させることができ治療効果を高めることができる。
【発明を実施するための最良の形態】
【０００６】
以下に本発明の実施の形態を添付した図面を参照して詳細に説明する。
まず、紙、布、合成樹脂等の薄い素材をシート状ベース２として準備する。次に、シート状ベース２に、一定間隔おきにドット状にマイナスイオン発生微粉末材を、印刷手段（図示省略）を用いて、直線方向に転写塗着し、この動作を所定量改行方向にずらしながら繰り返し、全体として、マトリックス状に、マイナスイオン発生微粉末材からなるマイナスイオン発生ドット４をシート状ベース２上に転写塗着する。
【０００７】
次に、マイナスイオン発生ドット４の間隔の空いた所に微粉末永久磁石材を印刷手段を使用してドット状に転写し、シート状ベース２に磁気発生ドット６を形成する。以上の工程により、シート状ベース２上には、マイナスイオン発生ドット４と磁気発生ドット６とが交互に配置されたドットマトリックス８が形成される。
【０００８】
次にシート状ベース２のドットマトリックス８形成面に、人体に無害の両面接着フイルム１０を貼り付け、該フイルム１０により、シート状ベース２に、これを人体に貼り付けるための接着面１１を形成する。この接着面１１には、剥離紙を兼ねる保護フイルム１２を脱着自在に接着する。尚、上記両面接着フイルム１０の代わりに、ドットマトリックス８形成面に接着剤を塗着して接着層を形成し、該接着層に脱着自在に保護フイルム１２を接着するようにしても良い。
【０００９】
上記貼り付け治療シートを使用するときは、シート状ベース２から保護フイルム１２を剥がし、貼り付け治療シートを患部に貼り付ける。この場合、シート状ベース２のドットマトリックス８の各行は、Ａ方向に方向性を有するので、マイナスイオン発生ドット４と、磁気発生ドット６とが交互に形成された行方向Ａを、体内の血流の流れに合わせこれと平行となるようにシート状ベース２を患部に貼る。
【００１０】
このようにすることで、血管内の血液と、二種類のドット４，６が交互に現れる行（ライン）とが間接的に触れる時間が、瞬時ではなく、より長く保持されることで、ドット４，６の持つ二種類の効能効果が患部に相乗的に作用する。これにより、、体内の浄化を早め患部の症状を速く治すことができる。
【図面の簡単な説明】
【００１１】
【図１】本発明に係る貼り付け治療シートの平面図である。
【図２】本発明の説明図である。
【符号の説明】
【００１２】
２      シート状ベース  
４      マイナスイオン発生ドット
６      磁気発生ドット
８      ドットマトリックス
１０    両面接着フイルム
１２    保護フイルム
【図１】
2006081807.tif 000003
【図２】
2006081807.tif 000004
(57)【要約】  【課題】入浴時、簡単に膣内を洗浄することができるようにする。  【解決手段】洗浄器本体２は、少なくとも先端に流出孔４を有し膣内に挿入可能な細長状の筒からなる。この洗浄器本体２の後部は接続管６と連結している。接続管６には、シャワーホースのジョイントのねじ部と接続自在なねじ部１６が形成されている。前記接続管６又はこれの近傍の洗浄器本体２の管璧には、指で開閉操作が可能な圧力調整穴１０が穿設されている。【選択図】図１
2006081808.tif 000002
【特許請求の範囲】
【請求項１】
少なくとも先端に流出孔４を有し膣内に挿入可能な細長状の筒からなる洗浄器本体２と、該洗浄器本体２の後部に連結しシャワーホースのジョイントのねじ部と接続自在なねじ部１６が形成された接続管６と、前記接続管６又はこれの近傍の洗浄器本体２の管璧に形成された圧力調整穴１０とを備えたことを特徴とする洗浄器。
【請求項２】
前記洗浄器本体２を、前記接続管６に角度調整自在に連結したことを特徴とする請求項１に記載の洗浄器。
【発明の詳細な説明】
【技術分野】
【０００１】
本発明は、入浴時などに簡単に膣内を洗浄できるようにした洗浄器に関する。
【背景技術】
【０００２】
円筒状の注射器を模した適宜大きさの洗浄器本体と、該洗浄器本体の中で摺動自在に装着される挿入棒とからなる避妊用携帯洗浄器が従来知られている（例えば特許文献１参照）。
【特許文献１】実開昭６３−１２７６４２号公報）
【発明の開示】
【発明が解決しようとする課題】
【０００３】
本発明は、入浴時、簡単に膣内を洗浄できるようにした洗浄器を提供することを目的とする。
【課題を解決するための手段】
【０００４】
上記目的を達成するため本発明は、少なくとも先端に流出孔４を有し膣内に挿入可能な細長状の筒からなる洗浄器本体２と、該洗浄器本体２の後部に連結しシャワーホースのジョイントのねじ部と接続自在なねじ部１６が形成された接続管６と、前記接続管６又はこれの近傍の洗浄器本体２の管璧に形成された圧力調整穴１０とを備えたものである。
また本発明は、前記洗浄器本体２を、角度調整自在に、接続管６に連結したものである。
【発明の効果】
【０００５】
本発明は入浴時、簡単に膣内を洗浄することができる。
【発明を実施するための最良の形態】
【０００６】
以下に本発明の実施の形態を添付した図面を参照して詳細に説明する。
符号１は洗浄器を示し、洗浄器本体２と筒状の接続管６とを備えている。洗浄器本体２は、円筒状の細長い材料により構成され、膣内にスムーズに挿入できるように表面が滑らかに加工され、且つ、長さ及び径が適宜な値に設定されている。
【０００７】
洗浄器本体２の先端とその周囲の周壁部には、湯水が吐出するための流出孔４が適宜数穿設され、これら流出孔４は、洗浄器本体２の中空部と連通している。前記流出孔４は、本実施形態では、洗浄器本体２の先端に１個、この先端の近傍の管璧部に８個設けている。接続管６の一方の端面は、軸方向に垂直な面に対して所定角度傾斜した傾斜面６ａを形成し、この接続管６の一方に接続パイプ８の一方が嵌着固定されている。
【０００８】
前記接続パイプ８の他方は、前記傾斜面６ａに対して垂直に、所定長さ、接続管６の端部の中心から突出している。前記接続パイプ８には前記洗浄器本体２の後部が回転可能に密嵌し、洗浄器本体２の後端面が前記接続管６の傾斜面６ａに密着配置されている。前記洗浄器本体２は、手操作で、前記接続管６に対して傾斜した接続パイプ８を中心として回転させることにより、接続管６に対してなす角度を変化させることができる。
【０００９】
前記接続管６の管璧には、該接続管６の中空部と連通する、湯水の吐出圧力を調整するための圧力調整穴１０が軸方向に長い楕円形状を呈して穿設されている。前記圧力調整穴１０の縁の壁面には、接続管６に流入した湯水を接続管６の軸方向に案内するガイド面１０ａが形成されている。前記圧力調整穴１０は、手の親指の内側で塞ぐことができる形状に設定されている。
【００１０】
尚、圧力調整穴１０の穿設位置は、これを指で操作しやすい位置であれば、接続管６に特に限定されるものではなく、洗浄器本体２の、膣内挿入部分から外れた、接続管６との結合部の近傍位置等に設けても良い。前記接続管６の他方に形成された小径部の外周面には、ユニットバス等に装備されたシャワーに備えられたシャワーホース１２のジョイント１４の雌ねじからなるねじ部１４ａに接続するための、雄ねじからなるねじ部１６が形成されている。
【００１１】
次に本実施形態の作用について説明する。
洗浄器１を使用する場合には、まず、浴室などに設置されているシャワーのシャワーホース１２のジョイント１４から、シャワーヘッドを外し、このジョイント１４のねじ部１４ａに、接続管６のねじ部１６を介して洗浄器１を結合する。
【００１２】
ジョイント１４の機種の相違により、ねじ部１４ａとねじ部１６とが合わないときは、別途に用意したアダプタ１８の一方のねじ部１８ａを接続管６のねじ部１６にねじ込み、アダプタ１８の他のねじ部１８ｂをジョイント１４のねじ部１４ａにねじ込んでアダプタ１８を介して洗浄器１をシャワーホース１２のジョイント１４に接続する。
【００１３】
浴室のシャワーの栓を開くと、湯水が洗浄器１内に供給される。洗浄器１内に供給された湯水は、圧力調整穴１０から外部流出する。そのため、圧力調整穴１０が開いた状態での流出孔４から吐出される湯水の圧力はきわめて小さい。該状態で、接続管６を手で持ち、洗浄器本体２を膣内に挿入し、親指の内側で、圧力調整穴１０の開度を調整すれば、流出孔４から吐出される湯水の圧力を所望の大きさに簡単に調整することができる。
【図面の簡単な説明】
【００１４】
【図１】本発明に係る洗浄器の外観図である。
【図２】本発明に係る洗浄器のＡ−Ａ線断面図である。
【符号の説明】
【００１５】
１      洗浄器
２      洗浄器本体  
４      流出孔        
６      接続管
８      接続パイプ
１０    圧力調整穴
１２    シャワーホース
１４    ジョイント
１６    ねじ部
１８    アダプタ
【図１】
2006081808.tif 000003
【図２】
2006081808.tif 000004